(57)【要約】【課題】  犬の身体への接触が少なくなるように肛門下へ差し込むことができる犬の糞取り器を提供する。【解決手段】 三角形をした枠体と、枠体の角から延びる柄と、枠体の角に設けられるクリップと、クリップに吊り下げられる複数枚を重ねた袋とからなる犬の糞取り器  三角形をした枠体と、枠体の角から延びる柄と、枠体の角に設けられるクリップと、クリップに吊り下げられる複数枚を重ねた袋とからなる犬の糞取り器。【選択図】  図１
0003132368.tif 000002
【実用新案登録請求の範囲】
【請求項１】
三角形をした枠体と、枠体の角から延びる柄と、枠体の角に設けられるクリップと、クリップに吊り下げられる複数枚を重ねた袋とからなる犬の糞取り器。
【請求項２】
柄の対辺の両端の挟角が正三角形の角度又はそれよりも鋭角になっている請求項１の犬の糞取り器。
【請求項３】
クリップが枠体に分離不可能に取り付けられている請求項１又は２の犬の糞取り器。
【考案の詳細な説明】
【技術分野】
【０００１】
本考案は、犬の糞取り器に関するものである。
【背景技術】
【０００２】
犬を散歩させているときに（散歩に限らず、動物病院や身体清浄に連れて行くときも同様）、犬が排泄した糞を収集する糞取り器については種々のものが提案されている。このうち、価格が安くて取扱いも簡単で、しかも清潔なものとしては、下記特許文献１に示されるものがある。これは、円形をした枠体にクリップで袋を吊り下げておくもので、犬が便意を催すと、枠体を肛門の下に差し込んで袋の中に糞をさせるものである。そして、飼い主は、袋を外して持ち帰って処分をするものである。
【０００３】
一方で、犬は、枠体や袋が胴、脚或いは尻尾に当たると、これを気にして途中で糞をするのを止めてしまう習性がある。特に、尻尾に対しては敏感であり、尻尾が少しでも物にに当たると糞をしなくなる。なお、普通は、尻尾を持ち上げて糞をするが、気張ったとき等には尻尾をピクピク上下させるから、このとき下に物があればこれに当たる。また、犬自体の性格によったり、老犬になったりすると、尻尾の上げが弱くなることがある。
【特許文献１】特開２００２−２３８３９２号公報
【考案の開示】
【考案が解決しようとする課題】
【０００４】
本考案は、このような課題を解決するものであり、枠体や袋が犬の胴、脚、尻尾（以下、身体）に当たらないようにしたものである。
【課題を解決するための手段】
【０００５】
そこで、本考案は、請求項１に記載の、三角形をした枠体と、枠体の角から延びる柄と、枠体の角に設けられるクリップと、クリップに吊り下げられる複数枚を重ねた袋とからなる犬の糞取り器を提供するとともに、請求項２に記載の、柄の対辺の両端の挟角が正三角形の角度又はそれよりも鋭角になっている構成及び請求項３に記載の、クリップが枠体に分離不可能に取り付けられている構成を提供したものである。
【考案の効果】
【０００６】
請求項１の考案によると、枠体は円形ではなく、辺が痩せた三角形をしていることから、一つの角を犬の肛門の下に差し込んだ際に、枠体や袋が犬の身体に当たり難くなる。特に、尻尾については、差し込んだ角の対辺は痩せた三角形をしていて角との距離が短いから、この対辺は相対的に尻尾の近くに存在することになって当たる確率が少なくなる。また、枠体が上記の形状をしていると、肛門の下への挿入も容易になる。さらに、この糞取り器は枠体、柄、クリップといった簡単な構成であるから、製作費も安い。請求項２の手段によると、犬の身体への接触をより少なくできるし、請求項３の手段によると、クリップの散逸が防止できる。
【考案を実施するための最良の形態】
【０００７】
図１は本考案の一例を示す糞取り気の平面図、図２は正面図であるが、この糞取り器は、平面視三角形をした枠体１と、枠体１の一つの角（頂点）から延出する柄２と、枠体１の三カ所の角に取り付けられるクリップ３とからなる。このうち、枠体１は金属線が適し、柄２は竹、木、樹脂等のものが適する。また、クリップ３は書類等を挟むものであったり、洗濯挟みのような通常のものでよい。
【０００８】
枠体１は三角形であれば、どんな形状をしていてもよいが、犬の身体への接触を少なくして肛門下へ挿入できるようにするためには、柄２の対辺の両端の挟角が正三角形の角度（全体が正三角形）又はそれよりも鋭角になっているのが適する。また、柄２は枠体１の平面に対して平行に延ばされるが、若干上向きに延ばしてもよい。図３はクリップ３の取付けの状態を示す断面図であるが、本例では書類挟みのようなものを用いており、枠体１の角の部分に渡し材１ａを設け、この渡し材１ａに一方の押え片３ａを巻回して回転可能に保持している。したがって、クリップ３は枠体１から分離せず、散逸して喪失する事態がない。
【０００９】
このように、本考案の糞取り器は、枠体、柄、クリップといった簡単な構成で足りるから、製作費が安いことが特徴である。なお、各部材のサイズや寸法については、犬の体格にもよるが、一般的には、柄２の対辺の長さが２０ｃｍ、柄の長さが７０ｃｍ程度ものが適する。
【００１０】
図４は枠対１に対するクリップ３の取付けの他の状態を示す要部平面図であるが、本例のものは、枠体１の角の部分に柄２の対片に対して直角部分１ｂを設け、ここにクリップ３を取り付けたものである。本例ものは、厳密にいえば五角形であるが、直角部分１ｂはクリップ３の押え片３ａだけの長さを有するきわめて短い長さのものでよいから、この形状も三角形と称する。
【００１１】
本考案の糞取り器は、以上のクリップ３によって複数枚を重ねた袋４を吊り下げたものである。この袋３はゴミ袋等何でもよいが、複数枚を重ねておく。すなわち、袋４を枠体１の中に入れ、クリップ３で吊り下げておくのである。したがって、袋４は三カ所のクリップ３のみで吊り下げられており、着脱が容易である。以上、本考案による糞取り器は、枠体１が三角形をしていること、袋４が三カ所のクリップ３のみで吊り下げられる点に特徴がある。
【００１２】
次に、以上の糞取り器による犬の糞取りについて説明する。犬を散歩等に連れて行くときには、袋４を装着したこの糞取り器を携行して行く。図５はこの糞取り器の使用状態を示す説明図であるが、犬が便意を催してそのポーズを取ると、素早く、枠体１の一つの角を犬の肛門の下に差し込む。このとき、犬の両脚はその角を挟む両辺の外側にあり、尻尾の延長はその角との距離が短い対辺の後方に延びることになる。この状態で犬が糞をすると、糞は最内の袋４の中に落ちるから、クリップ３を外してこの袋４を携行している別の袋等（図示省略）に収容する。このとき、枠体１や袋４は犬の身体（特に尻尾）に当たり難いから、犬が途中で糞をしなくなる事態が少ない。
【００１３】
ところで、犬は、散歩中に何度でも糞をするから（特に、老犬になるほど下痢便になってその傾向が強い）、一度糞をした袋４を取り除いておくことで、次の糞の際にも素早い対応ができる。このとき、袋４をクリップ３のみで吊り下げておくことで、着脱の操作が容易、迅速であることは上述したとおりである。
【図面の簡単な説明】
【００１４】
【図１】糞取り器の平面図である。
【図２】糞取り器の正面図である。
【図３】クリップ取付けを示す断面図である。
【図４】クリップ取付けの他の例を示す要部平面図である。
【図５】糞取り器の使用状態を示す説明図である。
【符号の説明】
【００１５】
１      枠体
１ａ    渡し材
１ｂ    直角部分
２      柄
３      クリップ
３ａ    押え片
４      袋
【図１】
0003132368.tif 000003
【図２】
0003132368.tif 000004
【図３】
0003132368.tif 000005
【図４】
0003132368.tif 000006
【図５】
0003132368.tif 000007